(57)【要約】【課題】  半田を用いた接続を廃止することができるターミナルを提供する。【解決手段】  ターミナル本体３１の胴部３２より先端側に、ワイヤがヒュージングされるヒュージング部３３が設け、ヒュージング部３３を、ターミナル本体３１の先端を折り返して形成する。ターミナル本体３１の胴部３２より基端側に、信号線が圧着される圧着部４１を設け、圧着部４１を、信号線の被覆を固定する被覆圧着部４３と、信号線の先端に露出した導体又は芯線を固定する導線圧着部４５とで構成する。【選択図】        図２
2005166452.tif 000002
【特許請求の範囲】
【請求項１】
ワイヤと信号線とを接続するターミナルにおいて、
ターミナル本体の一端部に、前記ワイヤがヒュージングされるヒュージング部を設けるとともに、前記ターミナル本体の他端部に、前記信号線が圧着される圧着部を設けたことを特徴とするターミナル。
【発明の詳細な説明】
【技術分野】
【０００１】
本発明は、例えば電磁弁の巻線を構成するワイヤと信号線とを接続するターミナルに関する。
【背景技術】
【０００２】
従来、油圧回路に用いられる電磁弁は、ソレノイドを備えており、該ソレノイドのボビンに巻回されたワイヤと信号線との接続部には、ターミナルが用いられていた。
【０００３】
前記ワイヤと前記ターミナルとは、ヒュージングで接続されるように構成されており、前記ターミナルと前記信号線とは、半田で接続されている。
【発明の開示】
【発明が解決しようとする課題】
【０００４】
しかしながら、このようなターミナルにあっては、ターミナルと信号線とを半田付けしなければならなかった。
【０００５】
本発明は、このような従来の課題に鑑みてなされたものであり、半田を用いた接続を廃止することができるターミナルを提供することを目的とするものである。
【課題を解決するための手段】
【０００６】
前記課題を解決するために本発明のターミナルにあっては、ワイヤと信号線とを接続するターミナルにおいて、ターミナル本体の一端部に、前記ワイヤがヒュージングされるヒュージング部を設けるとともに、前記ターミナル本体の他端部に、前記信号線が圧着される圧着部を設けた。
【０００７】
すなわち、このターミナルでワイヤと信号線とを接続する際には、ターミナル本体の他端部に設けられた圧着部を押圧して信号線を圧着する。そして、前記ターミナル本体の一端部に設けられたヒュージング部へ通電しながら押圧することによりワイヤをヒュージングする。
【０００８】
すると、前記ワイヤと前記ターミナルとは、ヒュージングで接続される一方、前記ターミナルと前記信号線とは、圧着によって接続される。
【発明の効果】
【０００９】
以上説明したように本発明のターミナルにあっては、ワイヤとターミナル本体とをヒュージングで接続するとともに、前記ターミナル本体と信号線とを圧着によって接続することで、半田付けすること無く、ワイヤと信号線とを接続することができる。
【００１０】
したがって、不安定要因となり得る半田を用いた接続を廃止することができる。
【００１１】
そして、前記ターミナルと前記信号線とは、圧着によって機械的に接合される。このため、信頼性のさらなる向上を図ることができる。
【００１２】
さらに、半田に含有する鉛の使用を廃止できるといった効果も得ることができる。
【発明を実施するための最良の形態】
【００１３】
（第１の実施の形態）
【００１４】
以下、本発明の第１の実施の形態を図に従って説明する。図１は、本実施の形態にかかるターミナル１の一使用例を示す図であり、油圧回路で用いられる電磁弁内蔵のソレノイド２の平面が示されている。
【００１５】
該ソレノイド２のボビン１１は、合成樹脂で形成されており、円筒状の胴部１２と、該胴部１２の両端部に設けられた鍔部１３とが一体形成されている。該鍔部１３の天面１４には、前記胴部１２の端部が突出しており、この端部の側部には、突出部１５，１５が二箇所に形成されている。これにより、各突出部１５，１５と前記胴部１２の端部との間には、保持溝１６，１６が形成されており、各保持溝１６，１６には、前記ターミナル１，１が収容された状態で保持されている。
【００１６】
前記ソレノイド２は、前記ボビン１１に巻線が巻回されてなり、該巻線を構成するワイヤ２１の両端部は、前記鍔部１３に形成された切欠部２２，２２を介して天面１４に延出されている。このワイヤ２１の各端部は、前記ターミナル１の先端部にヒュージングされており、該ターミナル１の基端部には、信号線２３，２３が圧着されている。これにより、前記巻線のワイヤ２１は、前記ターミナル１，１を介して前記信号線２３，２３に接続されており、該信号線２３，２３からの信号に応じてソレノイドを励磁し、電磁弁を作動するように構成されている。
【００１７】
前記ターミナル１は、図２にも示すように、金属板がプレス成形されてなるターミナル本体３１からなり、該ターミナル本体３１の胴部３２より先端側には、前記ワイヤ２１がヒュージングされるヒュージング部３３が設けられている。該ヒュージング部３３は、当該ターミナル本体３１の先端が折り返されてなり、一般部３４と折り返し部３５との間には、ヒュージング時に前記ワイヤ２１が挿入される挿入空間３６が形成されている。
【００１８】
また、前記ターミナル本体３１の前記胴部３２より基端側には、前記信号線２３が圧着される圧着部４１が設けられている。該圧着部４１は、前記信号線２３の被覆４２を固定する被覆圧着部４３と、前記信号線２３の先端に露出した導体又は芯線４４を固定する導線圧着部４５とによって構成されている。
【００１９】
前記被覆圧着部４３は、図３の（ｂ）に示すように、前記ターミナル本体３１を構成する板材がＵ字状に屈曲されてなり、対向する第１舌片５１，５１間には、圧着時に被覆４２で覆われた前記信号線２３を挿入できる大きさに形成されている。また、前記導線圧着部４５は、図３の（ｃ）に示すように、前記ターミナル本体３１を構成する板材がＵ字状に屈曲されてなり、対向する第２舌片５２，５２間には、圧着時に前記信号線２３より露出した前記導体又は芯線４４を挿入できる大きさに形成されている。
【００２０】
以上の構成にかかる本実施の形態において、このターミナル１を用いて巻線のワイヤ２１と信号線２３とを接続する際には、信号線２３の先端に露出した導体又は芯線４４を、ターミナル本体３１基端部に設けられた圧着部４１を構成する導線圧着部４５の第２舌片５２，５２間に挿入するとともに、被覆４２で覆われた信号線２３を、前記圧着部４１を構成する被覆圧着部４３の第１舌片５１，５１間に挿入する。この状態において、前記導線圧着部４５の第２舌片５２，５２及び前記挿被覆圧着部４３の第１舌片５１，５１を押圧して内側へ傾倒し、前記信号線２３の導体又は芯線４２及び前記被覆４２を当該ターミナルに圧着する。
【００２１】
そして、前記信号線２３が圧着されたターミナル１を、前記ソレノイド２に形成された保持溝１６に挿入して保持するとともに、ボビン１１に巻回された巻線のワイヤ２１端部を、前記ターミナル１のヒュージング部３３における一般部３４と折り返し部３５間の挿入空間３６へ挿入する。この状態において、前記ヒュージング部３３の前記一般部３４と前記折り返し部３５との間に電圧を印加しつつ、前記一般部３４と前記折り返し部３５とを近接する方向へ押圧することにより前記ワイヤ２１を当該ヒュージング部３３にヒュージングする。
【００２２】
これにより、前記ワイヤ２１と前記ターミナル本体３１とをヒュージングで接続するとともに、該ターミナル本体３１と前記信号線２３とを圧着によって接続することができる。このため、前記ワイヤ２１と前記信号線２３とを、半田付けすること無く、接続することができる。
【００２３】
したがって、不安定要因となり得る半田を用いた接続を廃止することができる。
【００２４】
そして、前記ターミナル１と前記信号線２３とは、圧着によって機械的に接合される。このため、信頼性のさらなる向上を図ることができる。
【００２５】
さらに、半田に含有する鉛の使用を廃止できるといった効果も得ることができる。
【００２６】
なお、前記ターミナル１は、この形状に限定されるものでは無い。
【００２７】
（第２の実施の形態）
【００２８】
すなわち、図４に示すように、ソレノイド２のボビン１１の胴部１２に側方に突出する矩形状の凸部１０１が形成されている場合、図５にも示すように、ターミナル１の胴部３２に前記凸部１０１に沿って側方へ迂回する迂回部１０２を設けることもできる。
【００２９】
この場合、ターミナル１の不用意な抜けを防止することができる。
【００３０】
（第３の実施の形態）
【００３１】
また、図６に示すように、ソレノイド２のボビン１１の胴部１２に側方に突出する円柱部１１１が形成されている場合、図７にも示すように、ターミナル１の胴部３２に前記円柱部１１１が嵌入される円形穴１１２を設けることもできる。
【００３２】
この場合も、ターミナル１の不用意な抜けを防止することができる。
【図面の簡単な説明】
【００３３】
【図１】本発明の第１の実施の形態を示す図で、（ａ）は取付状態を示す平面図であり、（ｂ）は側面図である。
【図２】同実施の形態のターミナルを示す平面図であり、（ｂ）は、ターミナルの側面図である。
【図３】（ａ）は、同実施の形態のターミナル本体の基端部を示す拡大図、（ｂ）は、（ａ）のＡ−Ａ断面図で、（ｃ）は、（ａ）のＢ−Ｂ断面図である。
【図４】本発明の第２の実施の形態を示す図である。
【図５】図４の要部を示す断面図である。
【図６】本発明の第３の実施の形態を示す図である。
【図７】（ａ）は、同実施の形態のターミナルを示す側面図であり、（ｂ）は、図６の要部断面図である。
【符号の説明】
【００３４】
１    ターミナル
２１    ワイヤ
２３    信号線
３１    ターミナル本体
３３    ヒュージング部
４１    圧着部
【図１】
2005166452.tif 000003
【図２】
2005166452.tif 000004
【図３】
2005166452.tif 000005
【図４】
2005166452.tif 000006
【図５】
2005166452.tif 000007
【図６】
2005166452.tif 000008
【図７】
2005166452.tif 000009